(57)【要約】【課題】線路側電線が振動することを効果的に抑制することにより、線路側電線が振動により破断してしまうことを防止して、故障の少ない避雷器を提供すること。【解決手段】配電線に接続されて侵入する落雷を接地側に逃がす機能を備える避雷器１００に取り付けられるカップ部材１１０であって、配電線からの線路側電線Ｃを差し込む貫通穴１１１を有して該線路側電線を接続する避雷器本体部１０１側の接続金具１０２を覆うように形成されており、その接続金具に線路側電線を接続する接続方向の延長方向に延在するように形成されて該線路側電線を内装する状態で主に円錐部１７で支持するキャップ部材１０が貫通穴に嵌着されている。【選択図】図１
2007311295.tif 000002
【特許請求の範囲】
【請求項１】
配電線に接続されて侵入する落雷を接地側に逃がす機能を備える避雷器に取り付けられるカップ部材であって、
配電線からの線路側電線の差込穴を有して該線路側電線を接続する避雷器本体側の接続部を覆うように形成されており、
避雷器本体の接続部に線路側電線を接続する接続方向の延長方向に延在するように形成されて該線路側電線を内装する状態で支持する筒形状部が差込穴に連設されていることを特徴とするカップ部材。
【請求項２】
前記筒形状部は、カップ部材本体と一体成形されていることを特徴とする請求項１に記載のカップ部材。
【請求項３】
前記筒形状部は、キャップ本体側に形成されている差込穴に着脱可能に作製されていることを特徴とする請求項１に記載のカップ部材。
【請求項４】
前記筒形状部は、肉厚のゴム材料により作製されていることを特徴とする請求項３に記載のカップ部材。
【請求項５】
配電線に接続されて侵入する落雷を接地側に逃がす機能を備える避雷器であって、
配電線からの線路側電線の差込穴を有して該線路側電線を接続する避雷器本体側の接続部を覆うように形成されたカップ部材を備えており、
該カップ部材は、上記請求項１から５のいずれかに記載の筒形状部が差込穴に連設されていることを特徴とする避雷器。
【発明の詳細な説明】
【技術分野】
【０００１】
本発明は、カップ部材に関し、詳しくは、避雷器に接続する線路側電線が振動などにより接続部で破断してしまうことを防止するものに関する。
【背景技術】
【０００２】
従来より、配電線に侵入する落雷電流が負荷側に流れてしまうことを防止するために、落雷などの異常高電圧電流を接地側に逃がす機能を備える避雷器を配電線に接続することが行なわれている。
【０００３】
この避雷器を配電線に接続する線路側電線は、その避雷器本体に設けられている接続金具（接続部）に被覆を剥いだ導通線材が接続固定されており、例えば、風の強い地域などでは強風により大きく振動して、その導通線材の接続金具との接続箇所が破断してしまう場合がある。
【０００４】
このような事故を防止しようとすると、例えば、図６に示すように、その線路側電線の導通線材の接続金具との接続箇所を覆うカップ部材を内装する状態に、避雷器の上部を覆うように形成された、所謂、アレスターキャップ２００を被せてテープ巻きすることにより線路側電線に固定することが考えられる（例えば、特許文献１参照）。なお、このアレスターキャップ２００は、避雷器上部などを覆うキャップ本体２０１の下部に、その避雷器本体の円盤形状部の外周円弧面に係合させる窪み形状２０２が多段に形成されており、その円盤形状部の外周円弧面の外径に応じて係合させる窪み形状２０２を選択して切り離すことにより利用するようになっている。
【特許文献１】特開平６−１８１０１９号公報
【発明の開示】
【発明が解決しようとする課題】
【０００５】
しかしながら、このアレスターキャップ２００は、カップ部材を覆うほどの大型で高価であるとともに、別途、追加する形態で取り付ける必要があることから、コストが掛かりすぎてしまう、という問題があった。
【０００６】
そこで、本発明は、カップ部材を利用することにより大きくコストアップすることを回避しつつ、線路側電線が振動することを効果的に抑制することにより、線路側電線が振動により破断してしまうことを防止して、故障の少ない避雷器を提供することを目的とする。
【課題を解決するための手段】
【０００７】
上記課題を解決するカップ部材の第１の発明は、配電線に接続されて侵入する落雷を接地側に逃がす機能を備える避雷器に取り付けられるカップ部材であって、配電線からの線路側電線の差込穴を有して該線路側電線を接続する避雷器本体側の接続部を覆うように形成されており、避雷器本体の接続部に線路側電線を接続する接続方向の延長方向に延在するように形成されて該線路側電線を内装する状態で支持する筒形状部が差込穴に連設されていることを特徴とするものである。
【０００８】
この発明では、避雷器本体上部のカップ部材の差込穴に差し込まれて接続部に接続する線路側電線を、その差込穴に連設されている筒形状部内に挿通させて内装させた状態で支持させることができる。したがって、線路側電線が強風などにより振動していても、その振動がカップ部材の内部に伝播することを筒形状部で抑制することができ、線路側電線が接続部を中心にして振動することによりその接続部に隣接する箇所で導電線材が破断してしまうことを防止することができる。
【０００９】
上記課題を解決するカップ部材の第２の発明は、上記第１の発明の特定事項に加え、前記筒形状部は、カップ部材本体と一体成形されていることを特徴とするものである。
【００１０】
この発明では、カップ部材に筒形状部を装着する作業を行なうことなく、従来通りにカップ部材内に線路側電線を差し込む作業を行なうだけで、その差込部の外側または内側の一方あるいは双方に延在する筒形状部内に線路側電線が内装・支持された状態にすることができる。したがって、線路側電線の接続作業が煩雑化してしまうことを回避しつつその線路側電線の導通線材が破断することを防止することができる。
【００１１】
上記課題を解決するカップ部材の第３の発明は、上記第１の発明の特定事項に加え、前記筒形状部は、キャップ本体側に形成されている差込穴に着脱可能に作製されていることを特徴とするものである。
【００１２】
この発明では、カップ部材の差込穴に筒形状部を装着することにより、その差込部の外側または内側の一方あるいは双方に延在する筒形状部内に線路側電線を内装・支持させることができる。したがって、既存のカップ部材を利用しつつ（従来より使用するキャップ部材に代えて、筒形状部を装着することにより）線路側電線の導通線材が破断することを防止することができる。
【００１３】
上記課題を解決するカップ部材の第４の発明は、上記第３の発明の特定事項に加え、前記筒形状部は、肉厚のゴム材料により作製されていることを特徴とするものである。
【００１４】
この発明では、カップ部材の差込穴にゴム材料よりなる筒形状部を弾性変形させて容易に装着することができ、また、その筒形状部内に内装・支持された線路側電線がカップ部材の外側で離隔するほど振動することを許容する形態に作製することもできる。したがって、筒形状部の端部を基点にして外側の線路側電線が振動してしまうことを回避することができ、その振動を緩やかに吸収して線路側電線が損傷してしまうことをより信頼性高く防止することができる。
【００１５】
上記課題を解決する避雷器の第１の発明は、配電線に接続されて侵入する落雷を接地側に逃がす機能を備える避雷器であって、配電線からの線路側電線の差込穴を有して該線路側電線を接続する避雷器本体側の接続部を覆うように形成されたカップ部材を備えており、該カップ部材は、上記の第１から第５のいずれかに記載の筒形状部が差込穴に連設されていることを特徴とするものである。
【００１６】
この発明では、上記発明による作用効果を得ることができ、カップ部材内で線路側電線が破断してしまうことを未然に防止することができる。したがって、強風の地方に設置されたために線路側電線の健全性の確認や修理などのメンテナンス作業を頻繁に行うことをなくして、作業負担を軽減することができる。
【発明の効果】
【００１７】
このように本発明によれば、避雷器本体側の接続部からカップ部材の差込部の間に延在する線路側電線が振動しないように、その差込部に連設されている筒形状部内で内装・支持することができ、その線路側電線の導通線材が接続部の近傍で破断してしまうことを防止することができる。したがって、強風などにより線路側電線が振動する環境内でも、故障が少なく頻繁なメンテナンス作業の必要のない避雷器を提供することができる。
【発明を実施するための最良の形態】
【００１８】
以下、本発明の最良の実施形態を図面に基づいて説明する。図１〜図３は本発明に係るカップ部材を取り付ける避雷器の第１実施形態を示す図である。
【００１９】
図１において、避雷器１００は、本体部１０１上部にカップ部材１１０が取り付けられており、そのカップ部材１１０には配電線からの線路側電線Ｃを内装するキャップ部材１０が取り付けられている。
【００２０】
ここで、避雷器１００は、図３に示すように、外装部分が碍子により作製されて大容量バリスタなどの不図示の機能部を内蔵する本体部１０１と、この本体部１０１の上部側に配設されている接続金具（接続部）１０２と、本体部１０１の下部側に配設されている接地金具１０３と、本体部１０１の胴部に金具１０４ａが取り付けられるとともに電柱上部の腕金に金具１０４ｂが設置されることによりその本体部１０１を支持する取付金具１０４と、を備えている。この構成により、避雷器１００は、取付金具１０４により電柱上部の腕金に取り付け支持されており、接続金具１０２には配電線からの線路側電線Ｃの被覆を剥いだ状態の導通線Ｄがネジ１０２ａにより接続・固定されているとともに、接地金具１０３には接地されている不図示のアース線の導通線に接続した圧着端子などがネジ止め接続されている。
【００２１】
この避雷器１００は、負荷側に供給する定常電流の場合には機能することなく、配電線に落雷が侵入してきたときに、その落雷などにより発生する異常高電圧電流を接地側に逃がすことにより、負荷装置が落雷により破損などしてしまうことを回避することができるように設計されている。
【００２２】
また、この避雷器１００は、接続金具１０２には配電線からの線路側電線Ｃが接続されて常時供給電圧が印加されている状態であるので、不用意に触れてしまうと感電事故や地絡事故が発生することから、その本体部１０１上部の円盤形状１０１ａの上面１０１ｂから接続金具１０２までをすっぽり覆うことができる碍子製のカップ部材１１０を被せるようになっている。
【００２３】
そして、カップ部材１１０は、そのカップ形状の底面（使用時には天井面）に線路側電線Ｃを差込・挿通する貫通穴（差込穴）１１１が形成されており、その貫通穴１１１にはキャップ部材１０を嵌着して線路側電線Ｃとの間の隙間をなくすようになっている。
【００２４】
このキャップ部材１０は、図２に示すように、カップ部材１１０の貫通穴１１１に嵌着させる嵌着部１１と、この嵌着部１１に連設されて線路側電線Ｃの延長方向に延在する延在部１２と、を備える円筒形状に形成されており、そのカップ部材１１０の貫通穴１１１に装着して差込・挿通する線路側電線Ｃを内装する状態で支持するように、ゴム材料を一体成形することにより作製されている。すなわち、キャップ部材１０が筒形状部を構成している。なお、このキャップ部材１０は、円筒形状に限ることはなく、他の異形形状、例えば、断面が三角や四角以上の断面多角形状などに形成してもよいことは言うまでもない。
【００２５】
キャップ部材１０は、カップ部材１１０の貫通穴１１１と略同一形状の貫通部１５と、この貫通部１５の一端側に連設されて貫通穴１１１の縁を覆うように小径の円盤形状に形成された円盤部１６と、貫通部１５の他端側に連設されて貫通穴１１１の縁を覆う大径の底面を有する円錐形状に形成された円錐部１７と、が一体成形されており、これらの円盤部１６から貫通部１５を介して円錐部１７の先端までの軸心に、線路側電線Ｃを密着する状態で内装可能な内装穴１８が貫通するように形成されている。すなわち、キャップ部材１０は、全体的には円盤部１６、貫通部１５および円錐部１７がそれぞれの外形を有して内装穴１８との間が肉厚になるように作製されており、特に、円錐部１７の底面１７ａ側、言い換えると、カップ部材１１０の貫通穴１１１側の上面に接する側が変形不能な強度を有するように、そのカップ部材１１０の上面と略同一径になるように形成されている。
【００２６】
この構成により、キャップ部材１０は、円盤部１６からカップ部材１１０の貫通穴１１１内に押し込むことにより、その貫通穴１１１内に貫通部１５が位置する状態に嵌着することができ、円盤部１６と円錐部１７の底面１７ａとの間にカップ部材１１０の貫通穴１１１の縁を挟み込む状態に装着することができる。そして、このキャップ部材１０は、内装穴１８内に線路側電線Ｃを内装する状態にすることにより、避雷器１００上部の接続金具１０２に接続するその線路側電線Ｃを主に円錐部１７により支持することができる。
【００２７】
すなわち、キャップ部材１０は、円盤部１６と円錐部１７の底面１７ａとの間で嵌着部１１を構成して、円錐部１７の先端側に向かって延在部１２を構成しており、カップ部材１１０の貫通穴１１１との間の隙間をなくすように内装穴１８内に内装されている線路側電線Ｃに密接しつつ、その線路側電線Ｃがカップ部材１１０の貫通穴１１１の近傍で撓むことを制限するとともに、その貫通穴１１１から外方に離隔する側で撓むことを許容することができる。
【００２８】
ここで、従来のキャップ部材２１０は、図４に示すように、本実施形態のキャップ部材１０の円盤部１６の反対側の貫通部１５の他端側に、その円盤部１６と同一径の円盤部２１７が連設されている状態で一体成形されている。このことから、線路側電線Ｃは、このキャップ部材２１０を中心にして揺動することができ、強風の環境内で頻繁に大きく振動されることにより、接続金具１０２に接続していた導通線Ｄが破断してしまう不具合が発生していた。
【００２９】
これに対して、避雷器１００では、キャップ部材１０をカップ部材１１０に装着して線路側電線Ｃを接続金具１０２に接続することにより、そのキャップ部材１０の円錐部１７のゴム材料による弾性力によって、カップ部材１１０の貫通穴１１１の近傍から離隔する箇所でその線路側電線Ｃを徐々に撓ませることができ、言い換えると、離隔箇所での線路側電線Ｃが振動することを許容して（振動を円錐部１７で吸収して）、その線路側電線Ｃの振動がカップ部材１１０の内部に伝播することを回避することができる。
【００３０】
したがって、この避雷器１００は、カップ部材１１０の貫通穴１１１の近傍を中心にして線路側電線Ｃがそのカップ部材１１０の内外で振動することを防止することができ、線路側電線Ｃが強風で振動する場合でも、カップ部材１１０内の接続金具１０２との接続箇所で導通線Ｄが破断してしまうことをなくすことができる。
【００３１】
このように本実施形態においては、従来のキャップ部材２１０に代えて、キャップ部材１０を用いることにより、既存のカップ部材１１０を利用して、そのカップ部材１１０内で振動してしまうことがないように線路側電線Ｃをキャップ部材１０の円錐部１７で内装・支持することができ、頻繁に強風の発生する環境内でも、接続金具１０２との接続箇所の近傍で線路側電線Ｃ（導通線Ｄ）が破断してしまうことを防止することができる。したがって、故障を少なくして、線路側電線Ｃの健全性の確認や修理などのメンテナンス作業を頻繁に行う必要のない避雷器１００を安価に提供することができる。
【００３２】
次に、図５は本発明に係るカップ部材を取り付ける避雷器の第２実施形態を示す図である。ここで、本実施形態は、上述実施形態と略同様に構成されていることから、同様の構成には同一の符号を付して特徴部分を説明する。
【００３３】
図５において、避雷器１００は、従来からのカップ部材１１０に代えて、本体部１０１上部にカップ部材２０が取り付けられており、このカップ部材２０は、上述第１実施形態のカップ部材１１０と同様に、避雷器１００の本体部１０１上部の円盤形状１０１ａの上面１０１ｂから接続金具１０２までをすっぽりと覆うことができるように碍子製のカップ形状に作製されている。
【００３４】
このカップ部材２０は、そのカップ形状の底面（使用時には天井面）に線路側電線Ｃを差込・挿通する貫通穴（差込穴）２１が形成されているとともに、その貫通穴２１から離隔する方向に同径の内周面が延在するように碍子製の円筒形状部２２が一体成形されている。
【００３５】
この構成により、カップ部材２０は、キャップ部材１０、２１０を用いることなく、線路側電線Ｃをその円筒形状部２２内に内装させて直接支持することができ、その円筒形状部２２と線路側電線Ｃとをテープ巻きなどすることにより避雷器１００に固定することができる。言い換えると、このカップ部材２０は、線路側電線Ｃがカップ部材２０の外側近傍で撓むことを円筒形状部２２により制限して、その線路側電線Ｃの振動がカップ部材２０の内部に伝播することを回避することができ、線路側電線Ｃが強風で振動する場合でもカップ部材２０内の接続金具１０２との接続箇所で導通線Ｄが破断してしまうことをなくすことができる。
【００３６】
なお、カップ部材２０の円筒形状部２２と線路側電線Ｃとをテープ巻きする場合には、そのテープの強度により、離隔するほど線路側電線Ｃが撓むことを許容するようにすることもできる。
【００３７】
このように本実施形態においては、従来のカップ部材１１０に代えて、円筒形状部２２を一体成形されているカップ部材２０を用いることにより、キャップ部材の嵌め込み作業などを行うことなく、避雷器１００のカップ部材２０内で振動してしまうことがないように線路側電線Ｃを内装・支持することができ、頻繁に強風の発生する環境内でも、接続金具１０２への接続箇所の近傍で線路側電線Ｃ（導通線Ｄ）が破断してしまうことを防止することができる。したがって、故障を少なくして、線路側電線Ｃの健全性の確認や修理などのメンテナンス作業を頻繁に行う必要のない避雷器１００を安価に提供することができる。
【産業上の利用可能性】
【００３８】
これまで本発明の一実施形態について説明したが、本発明は上述の実施形態に限定されず、その技術的思想の範囲内において種々異なる形態にて実施されてよいことは言うまでもない。
【００３９】
例えば、上述実施形態では、カップ部材の外側で線路側電線を内装・支持する場合を一例に説明するが、これに限るものではなく、カップ部材の内部に筒形状部を設けて、貫通穴１１から接続金具１０２までの間で線路側電線を固定するようにしてもよい。ただし、スペースが必要になるとともに、外側であればテープ巻きなどを適宜行なうことができるので、上述実施形態のように構成するのが好ましい。
【図面の簡単な説明】
【００４０】
【図１】本発明に係るカップ部材を取り付ける避雷器の第１実施形態を示す図であり、その概略構成を示す一部断面拡大立面図である。
【図２】そのカップ部材に嵌着するキャップ部材を示す図であり、（ａ）はその立面図、（ｂ）はその縦断面図である。
【図３】そのキャップ部材を嵌着するカップ部材と避雷器の概略全体構成を示す立面図である。
【図４】その従来のキャップ部材を用いたときの課題を説明する図であり、その概略構成を示す一部断面拡大立面図である。
【図５】本発明に係るカップ部材を取り付ける避雷器の第２実施形態を示す図であり、その概略構成を示す一部断面拡大立面図である。
【図６】その避雷器の上部側をカバーする場合に用いる一例のアレスターキャップを示す下方から見た斜視図である。
【符号の説明】
【００４１】
１０……キャップ部材    １１……嵌着部    １２……延在部    １５……貫通部    １６……円盤部    １７……円錐部    １７ａ……底面    １８……内装穴    ２０、１１０……カップ部材    ２１、１１１……貫通穴    ２２……円筒形状部    １００……避雷器    １０１……本体部    １０２……接続金具    １０２ａ……ネジ    １０３……接地金具    １０４……取付金具    Ｃ……線路側電線    Ｄ……導通線
【図１】
2007311295.tif 000003
【図２】
2007311295.tif 000004
【図３】
2007311295.tif 000005
【図４】
2007311295.tif 000006
【図５】
2007311295.tif 000007
【図６】
2007311295.tif 000008